(57)【要約】【課題】遊技機の外部から遊技面にゴト異物を差込むような不正行為を受けるときに発生する機械的な外力を、電気的に変換して検知する検知素子を備えることにより、遊技面に対する不正行為の有無を正確に検知することができる外力検知装置及び遊技機を提供することを目的とする。【解決手段】外部から力が加わったことを電気的に変換して検知する検知素子を備えた外力検知装置であって、前記検知素子を実装する実装位置に配線用の導電パターンを備えた基板と、前記基板の導電パターンに配線接続させて前記検知素子を基板に実装させる実装手段と、前記検知素子を実装した基板を保持する基板保持部を有するケースとを備えて外力検知装置を構成する。【選択図】図４
2008018003.tif 000002
【特許請求の範囲】
【請求項１】
外部から力が加わったことを電気的に変換して検知する検知素子を備えた外力検知装置であって、
前記検知素子を実装する実装位置に配線用の導電パターンを備えた基板と、
前記基板の導電パターンに配線接続させて前記検知素子を基板に実装させる実装手段と、
前記検知素子を実装した基板を保持する基板保持部を有するケースと、
を備えた外力検知装置。
【請求項２】
外部から力が加わったことを電気的に変換して検知する検知素子を備えた外力検知装置であって、
前記検知素子を実装する実装位置及びその背面位置に配線用の導電パターンをそれぞれ有する基板と、
前記基板の実装位置に平板状の検知素子を平面対応させて重ね合せた状態で、その外方から前記基板と検知素子との双方を挟み込んで圧接し、且つ基板の導電パターンと導通させるコ型状の導電性接合部材と、
前記検知素子を実装した基板を収納する溝状の収納空間を有して前記基板を収納保持する基板保持部、及び該基板保持部の壁面と前記検知素子とを密着させる方向に締付ける螺着部を有するケースと、
を備えた外力検知装置。
【請求項３】
前記基板には、検知素子が検知した検知信号取出し用のコネクタを実装した
請求項１または２に記載の外力検知装置。
【請求項４】
前記基板には、該基板に実装された検知素子の電極から前記実装されたコネクタまでの間に、検知素子の出力信号と外乱信号とを分別して信号処理する信号処理回路を実装した
請求項３に記載の外力検知装置。
【請求項５】
前記ケースには、前記基板を嵌め込んで取付ける嵌合部を備えた
請求項１〜４の何れか１つに記載の外力検知装置。
【請求項６】
前記ケース及び基板には、これらに共通して挿通されるビスを介して、前記ケースを他部材に取付ける共通の取付孔を備えた
請求項１〜５の何れか１つに記載の外力検知装置。
【請求項７】
遊技台の一側端部に取付けられた軸支部を回動支点に片開き式に開閉自在にして前記遊技台の前面にガラス扉を平面対向させて取付けた遊技機であって、
前記ガラス扉の枠部の内面に請求項１〜６の何れか１つに記載の外力検知装置を備えた遊技機。
【発明の詳細な説明】
【技術分野】
【０００１】
この発明は、パチンコ機のような遊技機の不正対策手段に用いられるような外力検知装置に関し、さらに詳しくは遊技面への不正行為を的確に検知することができる外力検知装置及び遊技機に関する。
【背景技術】
【０００２】
一般に、パチンコ機の本体前面（遊技面）を覆うガラス扉の接合部分（枠部）から遊技面へのゴト異物挿入用の不正経路（隙間）を作り、該不正経路からゴト異物を挿入して、遊技面の入賞口付近の釘を曲げたり、入賞センサを誤動作させたりする不正行為が知られている。
【０００３】
現状のパチンコ機では遊技面の入賞口に遊技球を入賞させて賞球を獲得させる性質上、遊技面の何れかで球詰りが発生した場合、その球詰りの解除作業が必要になる。また、遊技面に対しては一定期間ごとに清掃作業を要することから遊技面を覆うガラス扉を、ホール係員によって開閉可能に構成している。この場合、ガラス扉を開閉するため、遊技面とガラス扉とが対向する枠部では、その接合面間に僅かな隙間が生じ、該隙間が存在することからゴト行為が誘起され、釘曲げゴトのような不正行為がなされる原因となる。
【０００４】
ところが、外部から釘曲げゴトのような異物の介入による不正行為を防ぐことは難しく、現状では遊技面とガラス扉との枠部の接合面間が、外部からこじ開けられないように、例えば金属材を用い、さらに板厚を増して枠部の剛性を高めている。しかしながら、遊技性を損わないように遊技面の領域を狭めずに枠部の剛性を高めようとすると、その構成が複雑になり、コスト高になってしまう。
【０００５】
この種の問題を解決するため、遊技面とガラス扉とが平面対応する枠部の接合面間が平面的にならないように、該枠部を部分的に重ね合せたクランク構造にしているもの(例えば特許文献１参照)、あるいはガラス扉の枠部を金属製のカバー部材で被覆しているもの(例えば特許文献２参照)が知られている。
【０００６】
しかし、このように構成された場合でも、外部からの不正行為を完全に防ぐことは難しく、クランク構造やカバー部材を用いることによって枠部の構造が複雑化し、及び複雑化に伴う部品単価の向上に伴いコスト高になっていた。また、構造の複雑化によって遊技面へのスペースが狭められた場合には、遊技機本来の遊技性が損われるという問題が発生していた。
【０００７】
【特許文献１】特開２００４−１４１１８２
【特許文献２】特開平６−１８２０４４
【発明の開示】
【発明が解決しようとする課題】
【０００８】
そこでこの発明は、遊技機の外部から遊技面にゴト異物を差込むような不正行為を受けるときに発生する機械的な外力を、電気的に変換して検知する検知素子を遊技機に持たせることにより、遊技面に対する不正行為の有無を正確に検知することができる外力検知装置及び遊技機を提供することを目的とする。
【課題を解決するための手段】
【０００９】
この発明は、外部から力が加わったことを電気的に変換して検知する検知素子を備えた外力検知装置であって、前記検知素子を実装する実装位置に配線用の導電パターンを備えた基板と、前記基板の導電パターンに配線接続させて前記検知素子を基板に実装させる実装手段と、前記検知素子を実装した基板を保持する基板保持部を有するケースとを備えた外力検知装置であることを特徴とする。
【００１０】
この発明の態様として、外部から力が加わったことを電気的に変換して検知する検知素子を備えた外力検知装置であって、前記検知素子を実装する実装位置及びその背面位置に配線用の導電パターンをそれぞれ有する基板と、前記基板の実装位置に平板状の検知素子を平面対応させて重ね合せた状態で、その外方から前記基板と検知素子との双方を挟み込んで圧接させ、且つ基板の導電パターンと導通させるコ型状の導電性接合部材と、前記検知素子を実装した基板を収納する溝状の収納空間を有して前記基板を収納保持する基板保持部、及び該基板保持部の壁面と前記検知素子とを密着させる方向に締付ける螺着部を有するケースとを備えて構成することができる。
【００１１】
この発明の態様として、前記基板には、検知素子が検知した検知信号取出し用のコネクタを実装して構成することができる。
【００１２】
この発明の態様として、前記基板には、該基板に実装された検知素子の電極から前記実装されたコネクタまでの間に、検知素子の出力信号と外乱信号とを分別して信号処理する信号処理回路を実装して構成することができる。
【００１３】
この発明の態様として、前記ケースには、前記基板を嵌め込んで取付ける嵌合部を備えて構成することができる。
【００１４】
この発明の態様として、前記ケース及び基板には、これらに共通して挿通されるビスを介して、前記ケースを他部材に取付ける共通の取付孔を備えて構成することができる。
【００１５】
この発明の態様として、遊技台の一側端部に取付けられた軸支部を回動支点に片開き式に開閉自在にして前記遊技台の前面にガラス扉を平面対向させて取付けた遊技機であって、前記ガラス扉の枠部の内面に前記外力検知装置を備えて、該ガラス扉が遊技台の前面より離間する方向に外力が加わったことを検知する遊技機を構築することができる。
【発明の効果】
【００１６】
この発明によれば、遊技面への機械的な不正行為を電気的に検知できるため、ガラス扉の枠部を強化するような複雑な構造やその枠部の剛性を高めるような機械的な対策を要せずに、低コストにて不正対策を実現することができる。
【実施例】
【００１７】
この発明の一実施例を以下図面に基づいて説明する。  
図１はパチンコ機の遊技台１１の前面を開閉するガラス扉１２を開けた状態を示す斜視図である。このパチンコ機は遊技台１１の前面に遊技表示器１３などを備えた遊技面１４を有し、その下部に上皿１５と下皿１６と発射ハンドル１７とを有している。そして、遊技者によって発射ハンドル１７が回動操作されることにより遊技球（以下、球と称す）を発射させ、発射された球を搬送レール１８に搬送ガイドさせて遊技面１４へと供給している。
【００１８】
さらに、ガラス扉１２には遊技面１４に対する不正対策の１つとして該遊技面１４に対する外部からの不正行為の有無を検知する外力検知装置１９を備えている。この外力検知装置１９は、片開き式に開閉自在に設けられた四角形状のガラス扉１２の回動支点側となる枠部２０の内面２０ａに取付けている。そして、このガラス扉１２を遊技台１１の前面より離間する方向に、異物を介入させて、こじ開けようとする不正な外力が加えられた場合に、該ガラス扉１２と一体の外力検知装置１９にも同様に不正な外力が加わり、この外力を電気的に変換して検知信号を出力させる。この出力された検知信号をパチンコ機の制御部やホール制御部に送信して、遊技面１４に発生した不正行為を検知する構成をとっている。
【００１９】
図２は外力検知装置１９の取付前と取付後の状態を示す拡大斜視図、図３は外力検知装置１９の外観斜視図、図４は外力検知装置１９の分解斜視図である。この外力検知装置１９の大きさは、ガラス扉１２の枠部２０に隠れる程度に小さく設け、その構成は基板２１と、圧電素子２２と、接合片２３と、これらを収納保持するケース２４とを一体に組込んで構成される。そして、この外力検知装置１９を、ガラス扉１２の枠部２０の内面２０ａにビス２５止めして、該外力検知装置１９をガラス扉１２の枠部２０に一体に固定している。
【００２０】
前記基板２１は長方形状を有し、その中央部の上面を圧電素子２２の実装位置２１ａとし、該実装位置２１ａには配線用の導電パターン(図示省略)を形成し、さらにその実装位置２１ａの背面側の位置にも配線用の導電パターン(図示省略)を形成している。また、基板２１の長手方向の両側には前記ビス２５との接触を回避するビス挿通孔２６を開口している。さらに、該基板２１の一端部には、圧電素子２２が検知した検知信号取出し用のコネクタ２７を実装している。また、基板２１の他端部となる一長辺側の角部と、コネクタ２７より中央寄りの一長辺側の位置には係合凹部２８をそれぞれ切欠き形成している。
【００２１】
前記圧電素子２２は基板２１の実装位置２１ａに実装可能な小さな平板状に設けられ、その構造は圧電体を２枚の電極で挟んで構成され、外力を受けたときに、加えられた外力の大きさ度合いを電圧(起電力)に変換させる電気的な検知特性を有している。ことに、圧電素子２２は変形量が小さくて検知できるので、外力を高感度に検知できる。従って、この圧電素子２２を用いれば、外方から加わる外力を電気的な信号に変換することができ、外力を検知信号に変換させて取出すことができる。
【００２２】
図５は圧電素子２２の組込み状態を断面して示した図３のＡ−Ａ線矢視断面図、図６は圧電素子２２の組込み状態を断面して示した図３のＢ−Ｂ線矢視断面図である。この圧電素子２２を基板２１に一体に接合させる導電性接合部材としてコ型状の接合片２３を設けている。この接合片２３は、導電性の金属板によって圧電素子２２をクリップ状が挟み込んで接合可能なコ型状に形成している。そして、このコ型状の部分で、前記基板２１と圧電素子２２とを平面対応させて重ね合せた部分の外方から挟み込んで圧接させる接合構造を有している。
【００２３】
この場合、接合片２３はクリップ機能を持たせるために板バネのような弾性を有し、且つ該接合片２３は基板２１及び圧電素子２２を挟み込んで圧接したときに、該接合片２３の弾性によって重ね合せ部分を一定の挟持圧により接合する。このとき、接合片２３は圧電素子２２を基板２１に一体に接合させる役目だけでなく、導電性を有して圧電素子２２の表裏の電極を基板２１の導電パターンに導通させて配線接続させる配線部材の役目を兼ねている。従って、接合片２３はクリップ状に接合動作して接合の役目と配線の役目を兼ねているので、部品点数の削減が図れる。そして、接合された基板２１は、その接合状態のまま後述するケース２４に取付けられる。
【００２４】
上述のケース２４は、弾性変形許容する絶縁性樹脂材により形成され、基板保持部２９と、係合凸部３０と、ビス止め孔３１とが備えられている。  
このうち、基板保持部２９は、コネクタ２７を除く圧電素子２２と接合片２３とを実装した基板２１の部分を側壁の一方より嵌め込んで取付ける溝状の収納空間を有するものであって、基板２１より大きい平板状のベース３２と、そのベース３２の上面に逆Ｌ型状に起立突設させた逆Ｌ型片３３との対向面間にコ型空間を形成し、このコ型空間に前記基板２１が差込まれて嵌合固定される。また、コ型空間のうち、基板厚さより厚くなる圧電素子２２との対応保持部分は圧電素子２２を収納保持する大きさの圧電素子保持部３４を開口し、同様に接合片２３との対応保持部分は接合片２３を収納する大きさの接合片保持部３５を開口している。また、組立時にはケース２４の基板保持部２９に基板２１を嵌め込むだけで良いので組立性が容易になる。
【００２５】
また、前記係合凸部３０は、基板保持部２９の両側で、そのコ型空間の開放面側のベース３２上にそれぞれ突出し、該コ型空間に基板２１が差込まれた位置で、該係合凸部３０が基板２１の係合凹部２８と凹凸対応して基板２１を係合固定し、ケース２４の基板保持部２９に差込まれた基板２１を抜け止め固定する役目を有している。
【００２６】
さらに、前記ビス止め孔３１は、ケース２４の基板保持部２９に基板２１を差込んで嵌合固定させたとき、その基板２１の両側に開口されているビス挿通孔２６とそれぞれ同心対応する位置に開口している。このビス止め孔３１にビス２５を通して取付けるとき、該ビス２５はケース２４の背面側のビス止め孔３１を通過して、ビス２５の先端はケース２４の内部に嵌合固定されている基板２１のビス挿通孔２６を通過してケース２４の表面側のビス止め孔３１にねじ込んで螺着し、さらに突出して枠部２０に固着される。よって、ビス２５はケース２４と基板２１との双方を共通して貫通した状態で取付けられる。また、ビス挿通孔２６とビス止め孔３１をケース２４の中央近くに開口させれば、ケース２４の小型化を促進できる。
【００２７】
特に、ケース２４をガラス扉１２の枠部２０に取付ける際は、ビス２５を枠部２０にねじ込んで取付ける過程で該ビス２５によってケース２４が締付けられることで、基板保持部２９のコ型空間は引寄せられるごとく狭められ、隙間は小さくなる。そして、取付完了したビス２５の締め付け後は、隙間がなく、圧電素子２２がケース２４に密着した状態に取付けられる。従って、外力検知装置１９をガラス扉１２の枠部２０の内面２０ａに取付けた後は、ケース２４が外力を受けて変形しようとした際に、該ケース２４に密着する圧電素子２２に同様に外力が伝達される。
【００２８】
前記外力検知装置１９を取付ける位置は、ガラス扉１２が上下一対の軸支部（図示省略）を回動支点に片開き式に開閉されている。このため、不正されやすいガラス扉１２の側面で隙間を発生しやすい位置となる上下軸支部間に取付けるのが適している。また、外力検知装置１９は１個に限らず、複数個配設してもよく、さらに垂直方向の枠部２０に限らず、水平方向の枠部２０に取付けてもよい。さらに、外力検知装置１９は小さくて枠部２０の幅内に納めることができるので枠部２０への取付が容易である。
【００２９】
図７は外力検知装置１９を備えたパチンコ機の制御回路ブロック図である。このパチンコ機はＣＰＵ７１によって一台ずつ個別に制御され、このＣＰＵ７１と外力検知装置１９との間には外力検知装置１９からの検知信号を安定確実に取得するための信号処理回路７２が備えられている。この信号処理回路７２は外力検知装置１９の基板２１に実装されており、圧電素子２２の検知信号と外乱信号とを分別し、不正行為によって発生した外力（歪応力）を検知信号として出力させる。そして、その検知信号をＣＰＵ７１に入力させる。
【００３０】
具体的には、圧電素子２２に不正行為と認められる外力が加わったか否かを信号処理回路７２がＯＮ／ＯＦＦ信号により判断し、不正行為と認められる一定以上の外力が加わった場合に、不正行為によって発生した検知信号をＣＰＵ７１に入力させる。この結果、ＣＰＵ７１は入力信号に基づいて、遊技台１１やホールコンピュータに警報を出力させる。
例えば、
（１）遊技台１１の発射制御回路７３を停止制御して発射装置７４の発射出力を停止させる。  
（２）遊技台１１のランプ７５を警報モードにて点灯させる。  
（３）遊技台１１のスピーカ７６を用いて警報音や警報内容を音声により出力させる。  
（４）遊技台１１の表示ドライバ７７を経由させて表示ディスプレイ７８に警報情報を表示させる。  
（５）外部出力７９を経由させて、ホールコンピュータ８０に不正行為発生に伴う警報内容を出力させる。  
このように、不正行為の発生に応じてＣＰＵ７１は警報処理を実行させる。
【００３１】
次に、外力検知装置１９を備えたパチンコ機の外力検知動作について説明する。図８はパチンコ機の正常状態を表す側面図である。この正常なパチンコ機の遊技状態では、遊技台１１とガラス扉１２との間に介在されている外力検知装置１９は遊技中など終始、外力の有無を検知している。そして、遊技台１１とガラス扉１２との間を、こじ開けようとする外力が加わっていない適正な状態であれば、該外力検知装置１９は外力を検知しない。よって、この結果、ＣＰＵ７１は外力検知信号がないので、パチンコ機は正常に使用されていると確認することができる。
【００３２】
これに対し、図９はパチンコ機のガラス扉１２に不正な外力が加えられている場合の側面図である。この場合は、不正行為者によって遊技台１１とガラス扉１２との間に異物が介入されて、ガラス扉１２が遊技台１１の前面より離れる方向に押し広げられている。このため、ガラス扉１２は弓なりに変形し始め、遊技台１１とガラス扉１２との間にゴト異物挿入用の不正通路（隙間）Ｌが形成される。
【００３３】
このとき、外力検知装置１９はガラス扉１２と一体化して取付けられているので同方向に変形される外力を受ける。この際に、内部の圧電素子２２に外力が加わり、該圧電素子２２に外力に応じた電圧（起電力）を生じさせる。この発生した電圧が検知信号として信号処理回路７２を介してＣＰＵ７１に入力される。これに基づいてＣＰＵ７１は不正通路Ｌを形成しようとする不正行為の開始を検知する。従って、この場合は、ＣＰＵ７１が直ちに警報を出力させるため不正行為を、その初期時点で防止することができる。
【００３４】
上述のように、ガラス扉が遊技台の前面より離間する方向に外力が加わった場合は、その旨を外力検知装置が直ちに検知するため、ガラス扉の枠部を強化するような機械的な不正対策を講じることなく実現できる。従って、ガラス扉の枠部は剛性を上げる必要がなく、枠部に厚みのある金属材も要しなくなり、また複雑な構造を要しなくなるので、枠部の軽量化や枠部のシンプル化が図れる。この結果、量産化に適した製作が可能になり、低コスト化が図れる。また、枠部の剛性を高める必要がないので、枠部を簡素化して遊技領域を狭める原因を解消することができる。また、遊技面の遊技領域を充分に確保できることから、例えば役物等を実装する実装領域が大きく取れる利点がある。
【００３５】
上述の外力検知装置は、パチンコ機の外部から遊技面にゴト異物が差込まれて不正される不正行為を受けたときに発生する機械的な外力を検知する以外にも、遊技面上にあるパチンコ球の軌道を不正に変更させるために遊技者がパチンコ機の外部から衝撃を加えた場合にも、外力検知装置によって検知することができる。従って、従来、遊技面に配置されていた検知装置を遊技面以外に配することができ、遊技面の遊技領域を充分な大きさに確保できることから、例えば役物等を実装する実装領域が大きく取れる利点がある。
【００３６】
この発明の構成と、実施例の構成との対応において、
この発明の検知素子は、実施例の圧電素子２２に対応し、
以下同様に、
実装手段及び導電性接合部材は、接合片２３に対応し、
嵌合部は、係合凹部２８、基板保持部２９及び係合凸部３０に対応し、
螺着部及び共通の取付孔は、ビス挿通孔２６とビス止め孔３１に対応するも、この発明は請求項に示される技術思想に基づいて応用することができ、上述の一実施例の構成のみに限定されるものではない。
【００３７】
例えば、基板２１の導電パターンは、基板２１の表裏両面に形成したが、片面だけに形成するように構成してもよい。また、実装手段は接合片２３に限らず、ビス止め手段や係合手段によっても構成することができる。さらに、パチンコ機に限らず、スロットマシンなどの他の遊技機にも適用できる。
【図面の簡単な説明】
【００３８】
【図１】パチンコ機のガラス扉を開けた状態を示す外観斜視図。
【図２】外力検知装置の取付前と取付後の状態を示す拡大斜視図。
【図３】外力検知装置の外観斜視図。
【図４】外力検知装置の分解斜視図。
【図５】圧電素子と接合片との組込み状態を断面して示す図３のＡ−Ａ線矢視断面図。
【図６】圧電素子と接合片との組込み状態を断面して示す図３のＢ−Ｂ線矢視断面図。
【図７】外力検知装置を備えたパチンコ機の制御回路ブロック図。
【図８】パチンコ機の正常状態を表す側面図。
【図９】パチンコ機に不正行為がなされた場合の側面図。
【符号の説明】
【００３９】
１１…遊技台
１２…ガラス扉
１４…遊技面
１９…外力検知装置
２０…枠部
２１…基板
２２…圧電素子
２３…接合片
２４…ケース
２７…コネクタ
２９…基板保持部
７２…信号処理回路
【図１】
2008018003.tif 000003
【図２】
2008018003.tif 000004
【図３】
2008018003.tif 000005
【図４】
2008018003.tif 000006
【図５】
2008018003.tif 000007
【図６】
2008018003.tif 000008
【図７】
2008018003.tif 000009
【図８】
2008018003.tif 000010
【図９】
2008018003.tif 000011